【手続補正書】
【提出日】平成18年6月15日(2006.6.15)
【手続補正１】
【補正対象書類名】特許請求の範囲
【補正対象項目名】全文
【補正方法】変更
【補正の内容】
【特許請求の範囲】
【請求項１】
所定の規格に準拠した記録媒体に対して画像データ及び／又は音声データを記録する記録装置であって、
上記所定の規格に準拠した再生装置での再生を保証するための所定の識別子を画像データ及び／又は音声データに付加する識別子付加手段と、
上記識別子付加手段によって上記所定の識別子が付加された上記画像データ及び／又は音声データを上記記録媒体に記録する記録手段と
を有することを特徴とする記録装置。
【請求項２】
画像を撮影する撮像手段をさらに有し、
上記画像データは、上記撮像手段によって撮像した画像データであることを特徴とする請求項１記載の記録装置。
【請求項３】
音声を録音する録音手段をさらに有し、
上記音声データは、上記録音手段によって録音した音声データであることを特徴とする請求項１記載の記録装置。
【請求項４】
所定の規格に準拠した記録媒体に対して画像データ及び／又は音声データを記録する記録方法であって、
上記所定の規格に準拠した再生装置での再生を保証するための所定の識別子を画像データ及び／又は音声データに付加する識別子付加工程と、
上記識別子付加工程にて上記所定の識別子が付加された上記画像データ及び／又は音声データを上記記録媒体に記録する記録工程と
を有することを特徴とする記録方法。
【請求項５】
所定の規格に準拠した記録媒体に記録された画像データ及び／又は音声データを再生する再生装置であって、
上記記録媒体に記録された画像データ及び／又は音声データに所定の識別子が付加されているか否かを判別する判別手段と、
上記所定の識別子の付加されている上記画像データ及び／又は音声データのみを再生する再生手段と
を有することを特徴とする再生装置。
【請求項６】
所定の規格に準拠した記録媒体に記録された画像データ及び／又は音声データを再生する再生方法であって、
上記記録媒体に記録された画像データ及び／又は音声データに所定の識別子が付加されているか否かを判別する判別工程と、
上記所定の識別子の付加されている上記画像データ及び／又は音声データのみを再生する再生工程と
を有することを特徴とする再生方法。
【請求項７】
所定の規格に準拠した記録媒体に対して画像データ及び／又は音声データを記録する記録装置であって、
画像データ及び／又は音声データに、上記所定の規格に準拠した再生装置での再生を保証するための所定の識別子が付加されているか否かを判別する第１の判別手段と、
上記所定の識別子が付加されている画像データ及び／又は音声データについて、所定の画像／音声処理手段を介したか否かを判別する第２の判別手段と、
上記所定の識別子が付加されており、且つ上記所定の画像／音声処理手段を介した画像データ及び／又は音声データ、又は上記所定の識別子が付加されていない画像データ及び／又は音声データについては、そのまま上記記録媒体に記録し、上記所定の識別子が付加されており、且つ上記所定の画像／音声処理手段を介していない画像データ及び／又は音声データについては、上記所定の識別子を削除して上記記録媒体に記録する記録手段と
を有することを特徴とする記録装置。
【請求項８】
上記所定の画像／音声処理手段は、上記画像データ及び／又は音声データを所定の表示／再生条件に合致するように加工することを特徴とする請求項７記載の記録装置。
【請求項９】
所定の規格に準拠した記録媒体に対して画像データ及び／又は音声データを記録する記録方法であって、
画像データ及び／又は音声データに所定の識別子が付加されているか否かを判別する第１の判別工程と、
上記所定の識別子が付加されている画像データ及び／又は音声データについて、所定の画像／音声処理手段を介したか否かを判別する第２の判別工程と、
上記所定の識別子が付加されており、且つ上記所定の画像／音声処理手段を介した画像データ及び／又は音声データ、又は上記所定の識別子が付加されていない画像データ及び／又は音声データについては、そのまま上記記録媒体に記録し、上記所定の識別子が付加されており、且つ上記所定の画像／音声処理手段を介していない画像データ及び／又は音声データについては、上記所定の識別子を削除して上記記録媒体に記録する記録工程と
を有することを特徴とする記録方法。
【請求項１０】
画像データ及び／又は音声データに所定の識別子が付加されているか否かを判別する判別手段と、
上記所定の識別子が付加されている画像データ及び／又は音声データを所定の表示／再生条件に合致するように加工する加工手段と
を有することを特徴とするデータ加工装置。
【請求項１１】
画像データ及び／又は音声データに所定の識別子が付加されているか否かを判別する判別工程と、
上記所定の識別子が付加されている画像データ及び／又は音声データを所定の表示／再生条件に合致するように加工する加工工程と
を有することを特徴とするデータ加工方法。
【請求項１２】
所定の規格に準拠した記録媒体に対して画像データ及び／又は音声データを記録する記録装置であって、
画像データ及び／又は音声データが入力される入力手段と、
上記入力手段から入力された画像データ及び／又は音声データに所定のデータ処理を施すと共にヘッダを付加するデータ処理手段と、
上記データ処理手段によって所定のデータ処理が施された画像データ及び／又は音声データのヘッダの所定の位置に当該記録装置によって記録されたことを示す所定の識別子を付加する識別子付加手段と、
上記識別子付加手段によって所定の識別子が付加された画像データ及び／又は音声データを上記記録媒体に記録する記録手段と
を有し、
上記記録媒体に記録された、上記所定の識別子が付加された画像データ及び／又は音声データのデータ形式は、上記所定の規格に準拠した再生装置で再生可能な所定のデータ形式であることを特徴とする記録装置。
【請求項１３】
所定の規格に準拠した記録媒体に対して画像データ及び／又は音声データを記録する記録方法であって、
画像データ及び／又は音声データが入力される入力工程と、
上記入力工程にて入力された画像データ及び／又は音声データに所定のデータ処理を施すと共にヘッダを付加するデータ処理工程と、
上記データ処理工程にて所定のデータ処理が施された画像データ及び／又は音声データのヘッダの所定の位置に当該記録方法で記録されたことを示す所定の識別子を付加する識別子付加工程と、
上記識別子付加工程にて所定の識別子が付加された画像データ及び／又は音声データを上記記録媒体に記録する記録工程と
を有し、
上記記録媒体に記録された、上記所定の識別子が付加された画像データ及び／又は音声データのデータ形式は、上記所定の規格に準拠した再生装置で再生可能な所定のデータ形式であることを特徴とする記録方法。
【請求項１４】
所定の規格に準拠した記録媒体に記録された画像データ及び／又は音声データを再生する再生装置であって、
上記記録媒体から画像データ及び／又は音声データを読み出す読み出し手段と、
上記記録媒体から読み出された画像データ及び／又は音声データを再生する再生手段と、
上記読み出し手段によって読み出された画像データ及び／又は音声データのヘッダの所定の位置に所定の識別子が付加されているか否かを判別する判別手段と、
上記所定の識別子が上記ヘッダの所定の位置に付加されていると上記判別手段によって判別された場合にのみ、上記所定の識別子が付加された画像データ及び／又は音声データを上記再生手段で再生することを許可する制御手段と
を有することを特徴とする再生装置。
【請求項１５】
所定の規格に準拠した記録媒体に記録された画像データ及び／又は音声データを再生する再生方法であって、
上記記録媒体から画像データ及び／又は音声データを読み出す読み出し工程と、
上記記録媒体から読み出された画像データ及び／又は音声データを再生する再生工程と、
上記読み出し工程にて読み出された画像データ及び／又は音声データのヘッダの所定の位置に所定の識別子が付加されているか否かを判別する判別工程と、
上記所定の識別子が上記ヘッダの所定の位置に付加されていると上記判別工程にて判別された場合にのみ、上記所定の識別子が付加された画像データ及び／又は音声データを上記再生工程にて再生することを許可する制御工程と
を有することを特徴とする再生方法。
【請求項１６】
記録媒体に対してデータを記録する記録装置であって、
データが入力される入力手段と、
上記入力手段から入力されたデータに所定のデータ処理を施すと共に副データを付加するデータ処理手段と、
上記データ処理手段から出力された所定のデータ処理が施されたデータが備える副データの所定の位置に、当該記録装置によって記録されたことを示す記録装置データを付加する記録装置データ付加手段と、
上記記録装置データが付加された副データを備えるデータを上記記録媒体に記録する記録手段とを有し、
上記記録媒体に記録された、上記記録装置データが付加された副データを備えるデータは、他の再生装置で再生可能な所定のデータ形式であることを特徴とする記録装置。
【請求項１７】
記録媒体に対してデータを記録する記録方法であって、
データが入力される入力工程と、
上記入力工程にて入力されたデータに所定のデータ処理を施すと共に副データを付加するデータ処理工程と、
上記データ処理工程にて出力された所定のデータ処理が施されたデータが備える副データの所定の位置に、当該記録方法で記録されたことを示す記録装置データを付加する記録装置データ付加工程と、
上記記録装置データが付加された副データを備えるデータを上記記録媒体に記録する記録工程とを有し、
上記記録媒体に記録された、上記記録装置データが付加された副データを備えるデータは、他の再生装置で再生可能な所定のデータ形式であることを特徴とする記録方法。
【請求項１８】
記録媒体に記録された、副データを備えた汎用のデータ形式のデータを再生する再生装置であって、
上記記録媒体からデータを読み出す読み出し手段と、
上記記録媒体から読み出されたデータを再生する再生手段と、
上記読み出し手段によって読み出されたデータが備える副データの所定の位置に所定のデータが付加されているか否かを判別する判別手段と、
上記所定のデータが上記副データの所定の位置に付加されていると上記判別手段によって判別された場合にのみ、上記所定のデータが付加されたデータを上記再生手段で再生することを許可する制御手段と
を有することを特徴とする再生装置。
【請求項１９】
記録媒体に記録された、副データを備えた汎用のデータ形式のデータを再生する再生方法であって、
上記記録媒体からデータを読み出す読み出し工程と、
上記記録媒体から読み出されたデータを再生する再生工程と、
上記読み出し工程にて読み出されたデータが備える副データの所定の位置に所定のデータが付加されているか否かを判別する判別工程と、
上記所定のデータが上記副データの所定の位置に付加されていると上記判別工程にて判別された場合にのみ、上記所定のデータが付加されたデータを上記再生工程にて再生することを許可する制御工程と
を有することを特徴とする再生方法。
【手続補正２】
【補正対象書類名】明細書
【補正対象項目名】００１１
【補正方法】変更
【補正の内容】
【００１１】
また、上述した目的を達成するために、本発明に係るデータ加工装置及びその方法は、画像データ及び／又は音声データに所定の識別子が付加されているか否かを判別し、上記所定の識別子が付加されている画像データ及び／又は音声データを所定の表示／再生条件に合致するように加工する。
また、上述した目的を達成するために、本発明に係る記録装置及びその方法は、所定の規格に準拠した記録媒体に対して画像データ及び／又は音声データを記録する記録装置及びその方法であって、画像データ及び／又は音声データが入力され、上記入力された画像データ及び／又は音声データに所定のデータ処理を施すと共にヘッダを付加し、上記所定のデータ処理が施された画像データ及び／又は音声データのヘッダの所定の位置に当該記録装置及びその方法によって記録されたことを示す所定の識別子を付加し、上記所定の識別子が付加された画像データ及び／又は音声データを上記記録媒体に記録する。ここで、上記記録媒体に記録された、上記所定の識別子が付加された画像データ及び／又は音声データのデータ形式は、上記所定の規格に準拠した再生装置で再生可能な所定のデータ形式である。
また、上述した目的を達成するために、本発明に係る再生装置及びその方法は、所定の規格に準拠した記録媒体に記録された画像データ及び／又は音声データを再生する再生装置及びその方法であって、上記記録媒体から画像データ及び／又は音声データを読み出し、上記記録媒体から読み出された画像データ及び／又は音声データを再生し、上記読み出された画像データ及び／又は音声データのヘッダの所定の位置に所定の識別子が付加されているか否かを判別し、上記所定の識別子が上記ヘッダの所定の位置に付加されていると判別された場合にのみ、上記所定の識別子が付加された画像データ及び／又は音声データを再生することを許可する。
また、上述した目的を達成するために、本発明に係る記録装置及びその方法は、記録媒体に対してデータを記録する記録装置及びその方法であって、データが入力され、上記入力されたデータに所定のデータ処理を施すと共に副データを付加し、上記所定のデータ処理が施されたデータが備える副データの所定の位置に、当該記録装置及びその方法によって記録されたことを示す記録装置データを付加し、上記記録装置データが付加された副データを備えるデータを上記記録媒体に記録する。ここで、上記記録媒体に記録された、上記記録装置データが付加された副データを備えるデータは、他の再生装置で再生可能な所定のデータ形式である。
また、上述した目的を達成するために、本発明に係る再生装置及びその方法は、記録媒体に記録された、副データを備えた汎用のデータ形式のデータを再生する再生装置及びその方法であって、上記記録媒体からデータを読み出し、上記記録媒体から読み出されたデータを再生し、上記読み出されたデータが備える副データの所定の位置に所定のデータが付加されているか否かを判別し、上記所定のデータが上記副データの所定の位置に付加されていると判別された場合にのみ、上記所定のデータが付加されたデータを再生することを許可する。